(57)【要約】【課題】  室内への水の浸入を確実に防止できる戸を提供する。【解決手段】  室内外の面材１１ａ，１１ｂと、室内外のハンドル台座３１，４１とを備え、室外側ハンドル台座４１は、室外側面材側１１ｂに配置されており、室内側ハンドル台座３１は、室内側面材側１１ａに配置され、室外側ハンドル台座４１の取付柱２，２に固定されるものであり、室外側ハンドル台座４１から室内側ハンドル台座３１への、取付柱２，２を伝う水の浸入を遮断してあることを特徴とする戸。【選択図】      図１
2020200678.tif 000002
【特許請求の範囲】
【請求項１】
室内外の面材と、室内外のハンドル台座とを備え、室外側ハンドル台座は、室外側面材側に配置されており、室内側ハンドル台座は、室内側面材側に配置され、室外側ハンドル台座の取付柱に固定されるものであり、室外側ハンドル台座から室内側ハンドル台座への、取付柱を伝う水の浸入を遮断してあることを特徴とする戸。
【請求項２】
室内外の面材と、室内外のハンドル台座と、シリンダー錠とを備え、室外側ハンドル台座は、室外側面材側に配置されており、室内側ハンドル台座は、室外側ハンドル台座の取付柱に固定され、室外側ハンドル台座から室内側ハンドル台座への取付柱を伝う水の浸入を遮断して、室内側面材側に配置されており、シリンダー錠は、室外側面材側に配置される室外側錠孔部と、室内側面材側に配置される室内側サムターン台座部とを一体に有するものであり、室外側ハンドル台座よりも上方位置に固定されていることを特徴とする戸。
【発明の詳細な説明】
【技術分野】
【０００１】
本発明は、戸に関する。
【背景技術】
【０００２】
従来、玄関等に設けられ、ハンドルの操作により開閉される戸は、室内側および室外側のハンドル台座が取付柱を介して室内外を連通するように取り付けられており、風水害等によって室外側ハンドル台座まで水位が高まった際、室外から取付柱を通じて、室内に水が浸入してしまうという問題があった。
特許文献１には、室内側ハンドル内部に設けられたシール材により、室外から室内への水の浸入を防ぐ発明が記されているが、室内側ハンドル内部での被水によるシール材の経年劣化によって、止水が不確実になるおそれがあった。
【先行技術文献】
【特許文献】
【０００３】
【特許文献１】特開２０１７−１３３３２１号公報
【発明の概要】
【発明が解決しようとする課題】
【０００４】
本発明は上記実情に鑑み、室内への水の浸入を確実に防止できる戸の提供を目的とする。
【課題を解決するための手段】
【０００５】
本発明のうち請求項１の戸は、室内外の面材と、室内外のハンドル台座とを備え、室外側ハンドル台座は、室外側面材側に配置されており、室内側ハンドル台座は、室内側面材側に配置され、室外側ハンドル台座の取付柱に固定されるものであり、室外側ハンドル台座から室内側ハンドル台座への、取付柱を伝う水の浸入を遮断してあることを特徴とする。
【０００６】
本発明のうち請求項２の戸は、室内外の面材と、室内外のハンドル台座と、シリンダー錠とを備え、室外側ハンドル台座は、室外側面材側に配置されており、室内側ハンドル台座は、室外側ハンドル台座の取付柱に固定され、室外側ハンドル台座から室内側ハンドル台座への取付柱を伝う水の浸入を遮断して、室内側面材側に配置されており、シリンダー錠は、室外側面材側に配置される室外側錠孔部と、室内側面材側に配置される室内側サムターン台座部とを一体に有するものであり、室外側ハンドル台座よりも上方位置に固定されていることを特徴とする。
【発明の効果】
【０００７】
本発明のうち請求項１の発明によれば、戸は、室外側ハンドル台座が室外側面材側に配置され、室内側ハンドル台座が室内側面材側に配置され、室外側ハンドル台座が有する取付柱に対して室内側ハンドル台座が固定されるものであり、室外側ハンドル台座から室内側ハンドル台座への、取付柱を伝う水の浸入が遮断されているので、室内外側ハンドル台座を通じた水の浸入を防止できる。そのため、風水害等によって室外側ハンドル台座まで水位が高まったとしても、室内への水の浸入を防止できるので、止水性に優れる。
【０００８】
本発明のうち請求項２の発明によれば、戸は、室外側ハンドル台座が室外側面材側に配置され、室内側ハンドル台座が室内側面材側に配置され、室外側ハンドル台座が有する取付柱に対して室内側ハンドル台座が固定されるものであり、室外側ハンドル台座から室内側ハンドル台座への、取付柱を伝う水の浸入が遮断されているので、室内外側ハンドル台座を通じた水の浸入を防止できる。さらに、室外側面材側に配置される室外側錠孔部と、室内側面材側に配置される室内側サムターン台座部とを一体に有し、室内外を連通するシリンダー錠が、室外側ハンドル台座よりも上方位置に固定されているので、シリンダー錠を通じた水の浸入を防止できる。そのため、風水害等によって室外側ハンドル台座まで水位が高まったとしても、シリンダー錠を通じて室内へ水が浸入することがなく、止水性に優れる。
【図面の簡単な説明】
【０００９】
【図１】図２のＡ−Ａ線矢視図である。
【図２】戸を室外側から見た図である。
【図３】戸を室内側から見た図である。
【図４】室内外側のハンドル台座の側面図である。
【図５】（ａ）は作動機構側シール材が貼られた室内側ハンドル台座、（ｂ）は面材側シール材を室外側から見た図である。
【発明を実施するための形態】
【００１０】
以下、本発明の実施形態を図面に基づいて説明する。以下において室内側、室外側、戸先側、および吊元側とは図１に、上下左右は図５に示される通りとする。
本発明の戸の使用場所や用途は特に限定されるものではないが、本実施形態に係る戸は玄関用のドアであり、図２および図３に示されるように、建物の開口部に設けられた枠体と、枠体の内周を閉鎖する戸本体１とから構成される。枠体は、枠で四周に組まれている。戸本体１は、框で四周に組まれている。戸本体１の四周を組んだ框には、框の室内外側それぞれに面材１１ａ，１１ｂが取り付けられている。戸本体１には、図１に示されるように、戸本体１の戸先側の室内外側それぞれに、室内外のハンドル３，４が設けられている。室内外のハンドル３，４は、吊元側から手が掛けられるように、それぞれ略平板状をなしている。戸の開閉は、室内外のハンドル３，４の吊元側に手が掛けられて押し引きされる操作によって行われる。
【００１１】
戸本体１は、図１乃至図３に示される通り、室内外の面材１１ａ，１１ｂと、室内側ハンドル台座３１，３１と、室外側ハンドル台座４１，４１と、シリンダー錠５，５を備える。
室内側ハンドル台座３１，３１は、図３に示される通り、室内側ハンドル３の戸本体１側の面の上部および下部にそれぞれ設けられていて、室内側ハンドル３とネジ止めにより一体となっている。室内側ハンドル台座３１の戸本体１側の面の上部および下部それぞれには、図４および図５（ａ）に示される通り、室外側ハンドル台座４１に一体となって固定されるための、取付柱用孔３１０，３１０が設けられている。
また、室内側ハンドル台座３１は、作動機構３２と、作動機構側シール材３３と、面材側シール材３４とを有する。作動機構３２は、図４および図５（ａ）に示される通り、室内側ハンドル台座３１の内部中央に設けられており、室内側ハンドル３にプッシュプル機能をもたせるものである。作動機構側シール材３３は止水性を有する材料からなり、作動機構取付孔を塞ぐためのもので、作動機構３２を密封するものである。作動機構側シール材３３は、図５（ａ）に示される通り、室内側から見て正面視略矩形状をなしており、室内側ハンドル台座３１内部の作動機構３２を覆うように貼付される。面材側シール材３４は止水性を有する材料からなり、室内外側ハンドル台座３１，４１のうち、少なくとも、室内側ハンドル台座３１の戸本体１側の面と、室内側面材１１ａとに圧着するものである。面材側シール材３４は、図５（ｂ）に示される通り、室内側から見て正面視略矩形状をなす。面材側シール材３４は、上部および下部それぞれに貫通孔である取付柱用口３４０，３４０を有する。面材側シール材３４の取付柱用口３４０，３４０は、それぞれ室内側ハンドル台座３１の取付柱用孔３１０，３１０と位置が合致する。面材側シール材３４の貼付により、室内側ハンドル台座３１の戸本体１側の面のうち、取付柱用孔３１０以外の面が覆われる。すなわち、作動機構側シール材３３は面材側シール材３４で覆われる。
【００１２】
室外側ハンドル台座４１，４１は、図２に示される通り、室外側ハンドル４の戸本体１側の面の上部および下部にそれぞれ設けられていて、室外側ハンドル４とネジ止めにより一体となっている。室外側ハンドル台座４１の戸本体１側の面には、図１および図４に示される通り、上部および下部それぞれを端部として、室内側方向へ延び、室内外の面材１１ａ，１１ｂを貫通する中空円柱状の取付柱２，２が設けられている。
取付柱２，２の室内側端部は、室内側ハンドル台座３１の取付柱用孔３１０，３１０および面材側シール材３４の取付柱用口３４０，３４０に挿通され、室内側ハンドル台座３１内部に呑み込まれている。室外側ハンドル台座４１の取付柱２，２の室内側端部は、室内側ハンドル台座３１内部で、ネジ２１，２１によりネジ止めされる。ネジ２１，２１のネジ止めにより、室内側ハンドル台座３１は室外側ハンドル台座４１に固定される。ネジ２１，２１には、図１および図４に示される通り、樹脂製のシールワッシャー２２，２２が、ネジ２１と取付柱用孔３１０との隙間を塞ぐように、それぞれ取り付けられている。すなわち、ネジ２１と取付柱２とのあいだの空間は、シールワッシャー２２により塞がれている。室外側ハンドル台座４１，４１の上方には、図２に示される通り、シリンダー錠５，５がそれぞれ固定されている。
シリンダー錠５は、室内側面材１１ａ側に配置される室内側サムターン台座部５１ａと、室外側面材１１ｂ側に配置される室外側錠孔部５１ｂとを一体に有する。シリンダー錠５は、室内側サムターン台座部５１ａもしくは室外側錠孔部５１ｂの操作によって施解錠され、戸の開閉が制限される。
【００１３】
このように構成した本実施形態の戸によれば、室外側ハンドル台座４１が有する取付柱２，２に対して、室内側ハンドル台座３１がネジ２１，２１で固定され、戸本体１の室内側面材１１ａは、室内側ハンドル台座３１の面材側シール材３４に圧着され、室内側ハンドル台座３１の作動機構３２は、作動機構側シール材３３により密封されており、室外側ハンドル台座４１から室内側ハンドル台座３１への、取付柱２，２を伝う水の浸入を遮断してあるので、室内外側ハンドル台座３１，４１を通じた水の浸入を防止できる。加えて、ネジ２１，２１には、シールワッシャー２２，２２がそれぞれ取り付けられており、シールワッシャー２２により、ネジ２１と取付柱用孔３１０との隙間が塞がれているため、室外側ハンドル台座４１からの、言い換えると、取付柱２，２を伝った室内側ハンドル台座３１の取付柱用孔３１０，３１０からの、室内側ハンドル台座３１への水の浸入を遮断してあるので、室内外側ハンドル台座３１，４１を通じた水の浸入を防止できる。そのため、風水害等によって室外側ハンドル台座４１まで水位が高まったとしても、室内外ハンドル台座３１，４１を通じた室内への水の浸入を防ぐことができるので、止水性に優れる。
さらに、シリンダー錠５，５は、室外側面材１１ｂ側に配置される室外側錠孔部５１ｂ，５１ｂと、室内側面材１１ａ側に配置される室内側サムターン台座部５１ａ，５１ａとを一体に有しており、シリンダー錠５，５で室内外が連通されているが、本実施形態の戸によれば、シリンダー錠５，５は室外側ハンドル台座５１，５１よりも上方位置に固定されているので、風水害等によって室外側ハンドル台座４１まで水位が高まったとしても、シリンダー錠５，５を通じた室内への水が浸入することがなく、止水性に優れる。
【００１４】
本発明は、上記の実施形態に限定されず、特許請求の範囲内であれば、適宜変更することができ、例えば、戸は引戸であってもよい。作動機構側シール材はブチルテープであってもよい。面材側シール材はゴムシートであってもよい。また、上下の室内外ハンドル台座のうち、少なくとも下方の室内外ハンドル台座のみがハンドル取付部に固定されて、室内への水の浸入が防止されていればよい。このように構成することにより、下方の室内外ハンドル台座を通じた水の浸入が無く、シリンダー錠は下方の室内外ハンドル台座よりも上方位置に固定されていることにより、風水害等によって下方の室内外ハンドル台座まで水位が高まったとしても、室内へ水は浸入しない。
【符号の説明】
【００１５】
１１ａ      室内側面材
１１ｂ      室外側面材
２          取付柱
３１        室内側ハンドル台座
４１        室外側ハンドル台座
５          シリンダー錠
５１ａ      室内側サムターン台座部
５１ｂ      室外側錠孔部
【図１】
2020200678.tif 000003
【図２】
2020200678.tif 000004
【図３】
2020200678.tif 000005
【図４】
2020200678.tif 000006
【図５】
2020200678.tif 000007